(57)【要約】  光源駆動装置（１００）は、光源を接続可能であって、かつ、光源に流れる電流を設定するための設定ユニット（９０）を接続可能な第１の端子（５２）と、光源に流れる電流が定電流になるように制御する定電流駆動回路（１０）と、第１の端子（５２）に接続された設定ユニット（９０）から供給される電圧を変換し、当該変換された電圧信号を出力する変換回路（３０）と、変換された電圧信号に基づいて定電流の電流値を設定し、当該設定した電流値を示す設定信号を定電流駆動回路（１０）に出力する制御回路（４０）とを備える。
2019106855.tif 000002
【特許請求の範囲】
【請求項１】
光源を接続可能であって、かつ、前記光源に流れる電流を設定するための設定ユニットを接続可能な第１の端子と、
前記光源に流れる電流が定電流になるように制御する定電流駆動回路と、
前記第１の端子に接続された前記設定ユニットから供給される電圧を変換し、当該変換された電圧信号を出力する変換回路と、
前記変換された電圧信号に基づいて前記定電流の電流値を設定し、当該設定した電流値を示す設定信号を前記定電流駆動回路に出力する制御回路とを備える、光源駆動装置。
【請求項２】
前記制御回路に一定電圧を供給する定電圧回路をさらに備え、
前記設定ユニットが前記第１の端子に接続されている場合には、前記定電圧回路は、前記設定ユニットから供給される電圧を前記一定電圧に変換する、請求項１に記載の光源駆動装置。
【請求項３】
前記第１の端子と前記定電圧回路との間に接続され、前記定電圧回路を保護するための保護回路をさらに備え、
前記保護回路は、前記第１の端子の電圧を所定電圧まで低下させ、前記所定電圧を前記定電圧回路に出力する、請求項２に記載の光源駆動装置。
【請求項４】
外部電源を接続可能な第２の端子と、
前記定電圧回路に所定電圧を出力する補助電源回路とをさらに備え、
前記外部電源が前記第２の端子に接続されている場合には、前記補助電源回路は、前記所定電圧を前記定電圧回路に出力するように構成され、
前記外部電源が前記第２の端子に接続されておらず、前記設定ユニットが前記第１の端子に接続されている場合には、前記保護回路は、前記所定電圧を前記定電圧回路に出力するように構成されている、請求項３に記載の光源駆動装置。
【請求項５】
前記変換回路は、前記設定ユニットから供給される電圧と参照電圧とを比較し、比較結果を示す二値の信号を前記電圧信号として前記制御回路に出力する、請求項１〜４のいずれか１項に記載の光源駆動装置。
【請求項６】
前記変換回路は、前記設定ユニットから供給される電圧を複数の抵抗により分圧し、当該分圧された電圧に対応する信号を前記電圧信号として前記制御回路に出力する、請求項１〜４のいずれか１項に記載の光源駆動装置。
【請求項７】
前記定電流駆動回路は、前記第１の端子に直列接続されており、前記設定信号に従って、前記第１の端子に接続された前記光源に流れる電流が定電流になるように制御する、請求項１〜６のいずれか１項に記載の光源駆動装置。
【請求項８】
請求項１〜７のいずれか１項に記載の光源駆動装置と、
前記光源とを備える、照明装置。
【請求項９】
前記第１の端子は、外部に露出している、請求項８に記載の照明装置。
【請求項１０】
光源駆動装置から光源に供給される電流を設定するための電流設定方法であって、
前記光源駆動装置は、光源、および、前記光源に流れる電流を設定するための設定ユニットを接続可能な端子と、前記光源に流れる電流が定電流になるように制御する定電流駆動回路とを備え、
前記電流設定方法は、
前記端子に接続された前記設定ユニットから供給される電圧を変換し、当該変換された電圧信号を出力するステップと、
前記変換された電圧信号に基づいて、前記定電流の電流値を設定するステップと、
前記設定するステップにより設定された電流値を示す設定信号を前記定電流駆動回路に出力するステップとを含む、電流設定方法。
【発明の詳細な説明】
【技術分野】
【０００１】
本開示は、光源駆動装置、照明装置、および電流設定方法に関する。本出願は、２０１７年１２月１日に出願した日本特許出願である特願２０１７−２３１６３６号に基づく優先権を主張する。当該日本特許出願に記載された全ての記載内容は、参照によって本明細書に援用される。
【背景技術】
【０００２】
従来、定電流で発光ダイオード（ＬＥＤ：light  emitting  diode）等の光源を点灯制御する光源駆動装置が知られている。このような光源駆動装置を有する各種の照明装置（例えば、看板、ショーケース等で使用される照明装置、家庭で用いられるＬＥＤ照明等）においては、明るさについての要望がユーザあるいは設置場所ごとに異なる。そのため、各要望に沿った多種の製品を揃えておく必要があった。また、天井、店舗等への照明装置の設置後に明るさを変更する場合には、照明装置を分解して、内部の光源駆動装置または光源を交換したり、光源駆動装置を改造して出力電流を変更したりする必要があった。【０００３】
例えば、上記出力電流を変更する技術として、特許文献１（米国特許第９１６１４１０号明細書）は、出力電流が可変である発光ダイオード駆動装置を開示している。この発光ダイオード駆動装置では、ユーザ設定部がユーザ側設定信号をパルス幅変調制御部に送り、調光部が調光信号をパルス幅変調制御部に送り、パルス幅変調制御部がユーザ側設定信号の値に調光信号の値を乗算して出力電流制御信号を取得し、発光ダイオード駆動部に送る。発光ダイオード駆動部は、出力電流制御信号の値に最大出力電流の値を乗算した駆動電流によって発光ダイオードを駆動する。
【先行技術文献】
【特許文献】
【０００４】
【特許文献１】米国特許第９１６１４１０号明細書
【発明の概要】
【発明が解決しようとする課題】
【０００５】
しかしながら、特許文献１に係る発光ダイオード駆動装置においては、発光ダイオードが発光ダイオード駆動部に電気的に接続され、ユーザ設定部がパルス幅変調制御部に電気的に接続されている。このことから、発光ダイオード駆動装置には、ユーザ設定部を接続するための専用の接続端子を設けておく必要があるため、装置構成が複雑になる可能性がある。【０００６】
本開示は、ある局面では、光源駆動装置から光源に出力される電流を容易に変更することが可能な光源駆動装置を提供することを目的とする。本開示は、他の局面では、上記の光源駆動装置を含む照明装置を提供することを目的とする。本開示は、さらに他の局面では、光源駆動装置から光源に出力される電流を容易に変更することが可能な電流設定方法を提供することを目的とする。
【課題を解決するための手段】
【０００７】
ある実施の形態に従う光源駆動装置は、光源を接続可能であって、かつ、光源に流れる電流を設定するための設定ユニットを接続可能な第１の端子と、光源に流れる電流が定電流になるように制御する定電流駆動回路と、第１の端子に接続された設定ユニットから供給される電圧を変換し、当該変換された電圧信号を出力する変換回路と、変換された電圧信号に基づいて定電流の電流値を設定し、当該設定した電流値を示す設定信号を定電流駆動回路に出力する制御回路とを備える。【０００８】
他の実施の形態に従う照明装置は、上記光源駆動装置と、光源とを備える。
さらに他の実施の形態に従うと、光源駆動装置から光源に供給される電流を設定するための電流設定方法が提供される。光源駆動装置は、光源、および、光源に流れる電流を設定するための設定ユニットを接続可能な端子と、光源に流れる電流が定電流になるように制御する定電流駆動回路とを備える。電流設定方法は、端子に接続された設定ユニットから供給される電圧を変換し、当該変換された電圧信号を出力するステップと、変換された電圧信号に基づいて、定電流の電流値を設定するステップと、設定するステップにより設定された電流値を示す設定信号を定電流駆動回路に出力するステップとを含む。
【発明の効果】
【０００９】
本開示によると、光源駆動装置から光源に出力される電流を容易に変更することが可能となる。
【図面の簡単な説明】
【００１０】
【図１】実施の形態１に従う電流設定システムの概要を説明するための概念図である。
【図２】実施の形態１に従う信号変換方式の一例を説明するための図である。
【図３】実施の形態１に従う電流設定方法の一例を説明するためのフローチャートである。
【図４】実施の形態１に従う電流設定ユニットの回路構成の一例を示す図である。
【図５】実施の形態１に従う光源駆動装置の構成を示すブロック図である。
【図６】実施の形態１の変形例１に従う光源駆動装置を示すブロック図である。
【図７】実施の形態１の変形例２に従う光源駆動装置を示すブロック図である。
【図８】実施の形態２に従う光源駆動装置のブロック図である。
【図９】実施の形態２の変形例１に従う光源駆動装置のブロック図である。
【図１０】実施の形態２の変形例２に従う光源駆動装置のブロック図である。
【図１１】実施の形態２の変形例３に従う光源駆動装置のブロック図である。
【図１２】実施の形態３に従う照明装置の構成の一例を示すブロック図である。
【図１３】実施の形態３の変形例に従う照明装置の構成の一例を示すブロック図である。
【図１４】実施の形態４に従う電流設定システムの概要を説明するための概念図である。
【図１５】実施の形態４に従う電流設定方法の一例を説明するためのフローチャートである。
【図１６】その他の実施の形態に従う光源駆動装置を示すブロック図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
［実施の形態１］
＜電流設定システムの概要＞
図１は、実施の形態１に従う電流設定システムの概要を説明するための概念図である。具体的には、図１（ａ）は、光源駆動装置１００の出力電流を設定する場合の各装置の接続形態を示す図である。図１（ｂ）は、設定された出力電流の値を確認する場合の各装置の接続形態を示す図である。
【００１３】
図１を参照して、電流設定システムは、光源駆動装置１００から光源に出力（供給）される（すなわち、光源に流れる）電流を設定するためのシステムである。具体的には、電流設定システムは、光源駆動装置１００と、光源８０と、電流計８２と、電圧源８４と、電流設定ユニット９０とを含む。
【００１４】
図１（ａ）および図１（ｂ）を参照して、光源駆動装置１００は、定電流駆動回路１０と、定電圧回路２０と、変換回路３０と、制御回路４０と、入力端子５１と、出力端子５２とを含む。出力端子５２は、光源８０、および電流設定ユニット９０を接続可能に構成される。
【００１５】
定電流駆動回路１０は、光源８０に流れる電流が定電流になるように制御する。具体的には、光源駆動装置１００が光源８０を駆動する通常動作時において、定電流駆動回路１０は、電圧源８４からの電力を受けて、光源８０の定電流駆動制御を実行する。
【００１６】
定電圧回路２０は、出力端子５２に印加される電圧を一定電圧に変換して、当該一定電圧を制御回路４０に出力する。当該一定電圧は、制御回路４０の電源電圧である。変換回路３０は、出力端子５２を介して、電流設定ユニット９０から供給される電圧を変換して、当該変換された電圧信号を制御回路４０に出力する。
【００１７】
図２は、実施の形態１に従う信号変換方式の一例を説明するための図である。図２を参照して、出力端子５２の負極側を０Ｖとしたときに、定電圧回路２０から制御回路４０に出力される電源電圧（ここでは、５Ｖ）よりも大きい電圧（ここでは、１０Ｖあるいは６Ｖ）が出力端子５２の正極側に印加されている。また、信号変換に利用する参照電圧が８Ｖに設定されている。
【００１８】
この場合、変換回路３０は、電流設定ユニット９０から出力端子５２に印加される電圧（例えば、１０Ｖあるいは６Ｖ）と参照電圧（例えば、５Ｖ）とを比較して、比較結果を示す二値の信号を制御回路４０に出力する。図２の例では、変換回路３０は、出力端子５２に印加される電圧が参照電圧以上である場合には、Ｈｉｇｈ信号を制御回路４０に出力し、出力端子５２に印加される電圧が参照電圧未満である場合には、Ｌｏｗ信号を制御回路４０に出力する。
【００１９】
再び、図１を参照して、制御回路４０は、変換回路３０により変換された二値の信号に基づいて、定電流駆動回路１０から出力される定電流の電流値を設定する。ここでは、例えば、Ｈｉｇｈ信号をデータ”１”に対応させ、Ｌоｗ信号をデータ”０”に対応させるものとする。なお、Ｈｉｇｈ信号をデータ”０”に対応させ、Ｌоｗ信号をデータ”１”に対応させてもよい。
【００２０】
図２の例では、変換回路３０からＨｉｇｈ信号、Ｌｏｗ信号の順に、交互に３回出力されているため、制御回路４０は、変換回路３０から受けた信号をデータ”１０１０１０”として認識する。制御回路４０は、各データと定電流の電流値とを関連付けた情報テーブルを参照して、当該データに対応する定電流の値を特定する。なお、情報テーブルは、制御回路４０の内部メモリ（例えば、不揮発性メモリ）に記憶されている。制御回路４０は、当該特定した定電流の電流値を内部メモリに設定し（すなわち、記憶し）、当該設定した電流値を示す設定信号を定電流駆動回路１０に出力する。定電流駆動回路１０は、通常動作時において、設定信号に従う電流値が光源８０に流れるように制御する。
【００２１】
なお、制御回路４０は、情報テーブルを参照せずに、定電流の値を特定する構成であってもよい。例えば、制御回路４０は、光源駆動装置１００の出力電流の最大値を１００％とした場合に、何％の出力電流とするのかを変換回路３０から受けた信号のレベルから読み取るように構成されていてもよい。
【００２２】
図３は、実施の形態１に従う電流設定方法の一例を説明するためのフローチャートである。図３を参照して、電流設定方法では、図１（ａ）に示すように、光源駆動装置１００の出力端子５２に電流設定ユニット９０が接続される（ステップＳ１０）。電流設定ユニット９０は、光源駆動装置１００の出力電流を所望値に設定するための設定電圧（例えば、図２に示すような電圧）を出力端子５２に入力する（ステップＳ１２）。このとき、定電圧回路２０は、設定電圧を一定電圧に変換して、当該一定電圧を電源電圧として制御回路４０に供給する。
【００２３】
変換回路３０は、設定電圧と参照電圧と比較し、比較結果として二値の信号（Ｈｉｇｈ信号およびＬｏｗ信号）を制御回路４０に出力する（ステップＳ１４）。制御回路４０は、内部メモリに記憶されている情報テーブルを参照して、二値の信号に対応するデータに関連付けられた定電流の電流値を特定し、当該特定した電流値を内部メモリに記憶する（ステップＳ１６）。
【００２４】
次に、図１（ｂ）に示すように、光源駆動装置１００の出力端子５２から電流設定ユニット９０が外され、電流計８２が出力端子５２と光源８０との間に直列接続され、光源８０が出力端子５２に並列接続され、電圧源８４が入力端子５１に並列接続される（ステップＳ１８）。電圧源８４は、光源駆動装置１００の入力端子５１に電圧を印加する（ステップＳ２０）。
【００２５】
制御回路４０は、ステップＳ１６において内部メモリに記憶した電流値を示す設定信号を定電流駆動回路１０に出力する（ステップＳ２２）。例えば、制御回路４０は、当該電流値を、内部に設けられたＤＡ（digital-to-Analog）変換機能によりアナログ電圧値に変換し、当該変換したアナログ電圧値を設定信号として出力する。定電流駆動回路１０は、当該設定信号に従って光源８０の定電流駆動制御を実行する（ステップＳ２４）。電流計８２は、光源駆動装置１００の出力電流（すなわち、光源８０に流れる電流）を測定する（ステップＳ２６）。続いて、出力電流が目標範囲内（すなわち、目標値の公差内）か否かを判定する（ステップＳ２８）。具体的には、ユーザが当該判定を行なってもよいし、電流計８２の測定値の入力を受け付けたＰＣ（personal  computer）等の端末装置（図示しない）により、当該判定が行なわれてもよい。
【００２６】
出力電流の測定値が目標範囲内である場合には（ステップＳ２８においてＹＥＳ）、光源８０、電流計８２、および電圧源８４は光源駆動装置１００から外され（ステップＳ３０）、処理は終了する。出力電流が目標範囲内ではない場合には（ステップＳ２８においてＮＯ）、出力電流の測定値と目標値とのずれを補正するように電流設定ユニット９０の設定電圧の値を調整して（ステップＳ３２）、ステップＳ１０に戻る。このとき、少なくとも電圧源８４は、光源駆動装置１００から外される。電流計８２および光源８０は、光源駆動装置１００に接続されたままであってもよい。
【００２７】
＜電流設定ユニットの構成＞
図４は、実施の形態１に従う電流設定ユニット９０の回路構成の一例を示す図である。図４を参照して、電流設定ユニット９０は、内部電圧源９２と、抵抗Ｒａ，Ｒｂ，Ｒｃ，Ｒｄ，Ｒｅと、トランジスタＱａ，Ｑｂと、ＳＩＧＮＡＬ端子と、Ｖｏｕｔ端子と、ＧＮＤ端子とを含む。
【００２８】
ＳＩＧＮＡＬ端子に、端末装置（例えば、ＰＣ、マイコン等）からＨｉｇｈ信号が入力されると、トランジスタＱａがＯＮ状態（閉状態）になるため、抵抗Ｒｃの両端がショートされる。この場合、Ｖｏｕｔ端子には、内部電圧源９２の電圧Ｖｓを抵抗Ｒａと抵抗Ｒｂとで分圧した電圧から、トランジスタＱ２のベースエミッタ間電圧Ｖｂｅを減じた電圧Ｖｈｉが出力される。具体的には、電圧Ｖｈｉは以下の式（１）のように表わされる。
【００２９】
Ｖｈｉ＝Ｖｓ×（Ｒｂ）／（Ｒａ＋Ｒｂ）−Ｖｂｅ・・・（１）
ＳＩＧＮＡＬ端子に、端末装置からＬｏｗ信号が入力されると、トランジスタＱａがＯＦＦ状態（開放状態）になる。この場合、Ｖｏｕｔ端子には、電圧Ｖｓを抵抗Ｒａと、抵抗Ｒｂおよび抵抗Ｒｃの合成抵抗Ｒｂｃ（＝Ｒｂ＋Ｒｃ）とで分圧した電圧から、トランジスタＱ２のベースエミッタ間電圧Ｖｂｅを減じた電圧Ｖｌｏが出力される。具体的には、電圧Ｖｌｏは以下の式（２）のように表わされる。
【００３０】
Ｖｌｏ＝Ｖｓ×（Ｒｂ＋Ｒｃ）／（Ｒａ＋Ｒｂ＋Ｒｃ）−Ｖｂｅ・・・（２）
電圧Ｖｓ、抵抗Ｒａ，Ｒｂ，Ｒｃの抵抗値を適切に選択することにより、定電圧回路２０の出力電圧（すなわち、制御回路４０の電源電圧）よりも大きな電圧であって、かつ電圧値が異なる２つの電圧を出力することができる。そのため、電流設定ユニット９０は、制御回路４０の電源電圧に信号を重畳した設定電圧を出力することができる。
【００３１】
＜光源駆動装置の構成＞
図５は、実施の形態１に従う光源駆動装置１００Ａの構成を示すブロック図である。光源駆動装置１００Ａは、図１に示す光源駆動装置１００と対応するが、後述する変形例との区別のため、便宜上「Ａ」といった追加の符号を付している。
【００３２】
光源駆動装置１００Ａは、定電流駆動回路１０と、定電圧回路２０と、変換回路３０Ａと、制御回路４０と、入力端子５１と、出力端子５２とを含む。
【００３３】
光源駆動装置１００Ａが光源８０を駆動する通常動作時の動作例について説明する。通常動作時には、商用交流電源等の電圧源８４が入力端子５１に接続され、ＬＥＤ等の光源８０が出力端子５２に接続される。
【００３４】
定電流駆動回路１０は、入力端子５１を介して電圧源８４から電力の供給を受ける。定電流駆動回路１０は、光源８０を定電流駆動する。具体的には、定電流駆動回路１０は、制御回路４０から受けた設定信号に従う電流値の出力電流を光源８０に供給する。
【００３５】
定電圧回路２０は、出力端子５２に印加されている電圧を一定電圧に変換し、変換した一定電圧を制御回路４０に供給する。具体的には、定電圧回路２０は、ＩＣ２１により構成されている。ＩＣ２１は、入力端子（図中の「ＩＮ」）、出力端子（図中の「ＯＵＴ」）、およびグラウンド端子（図中の「ＧＮＤ」）の３端子から構成される三端子レギュレータＩＣである。ＩＣ２１は、入力電圧がＩＣ２１の入力電圧範囲以内であれば一定電圧を出力する。ＩＣ２１により出力された一定電圧は、制御回路４０の電源電圧として利用される。
【００３６】
制御回路４０は、内部メモリに設定（記憶）されている電流値を示す設定信号を定電流駆動回路１０に出力する。電流値は、定電流駆動回路１０から光源８０に供給される出力電流（すなわち、定電流）の電流値である。制御回路４０は、例えば、マイクロコンピュータ等の不揮発メモリを有するＩＣ４１により構成される。ＩＣ４１は、正極側の電源端子であるＶＤＤ端子、負極側の電源端子であるＶＳＳ端子、入力端子であるＩＮ端子、出力端子であるＯＵＴ端子、および検出信号の入力端子であるＩＮ＿ＰＷＲ端子を含む。
【００３７】
ここで、定電流駆動回路１０は、入力端子５１に印加されている入力電圧を検出する検出回路１１を含む。具体的には、検出回路１１は、入力電圧が閾値Ｔｈ以上であることを検出した場合には、当該検出結果を示す検出信号を制御回路４０（ＩＣ４１）に出力する。制御回路４０（ＩＣ４１）は、ＩＮ＿ＰＷＲ端子を介して、検出信号の入力を受け付けている場合、出力電流の設定を変更しないように構成される。
【００３８】
具体的には、制御回路４０は、ＩＮ＿ＰＷＲ端子を介して検出信号の入力を受け付けている場合には（すなわち、入力端子５１の電圧が閾値Ｔｈ以上である場合）、ＩＮ端子を介して変換回路３０から電圧信号を受け付けた場合であっても、当該電圧信号に対応する定電流の電流値を内部メモリに設定しない（記憶しない）ように構成される。換言すると、制御回路４０は、検出信号の入力を受け付けていない場合に（すなわち、入力端子５１の電圧が閾値Ｔｈ未満である場合）、電圧信号に対応する定電流の電流値を内部メモリに記憶する。これにより、光源駆動装置１００Ａの通常動作時において、光源８０が出力端子５２から外された場合等に出力端子５２において発生し得るチャタリングにより、出力端子５２から設定電圧が入力されたと制御回路４０が誤認識して、当該設定電圧により定電流の電流値を変更するのを防ぐことができる。
【００３９】
なお、検出回路１１は、入力電圧が閾値Ｔｈ未満であることを検出した場合に、当該検出結果を示す検出信号を制御回路４０（ＩＣ４１）に出力してもよい。この場合、制御回路４０（ＩＣ４１）は、当該検出信号により入力電圧が閾値未満であると判断して、電圧信号に対応する定電流の電流値を内部メモリに記憶する。
【００４０】
次に、定電流駆動回路１０の出力電流設定時の動作例について説明する。出力電流設定時には、出力端子５２に電流設定ユニット９０が接続される。電流設定ユニット９０は、出力電流を所望値に設定するための設定電圧を出力端子５２に入力する。定電圧回路２０は、設定電圧を受けて、制御回路４０に一定電圧を供給する。
【００４１】
変換回路３０Ａは、入力を受けた設定電圧を、制御回路４０の入力電圧範囲以内に変換した電圧信号を制御回路４０に出力する。具体的には、変換回路３０Ａは、出力端子５２の電圧が参照電圧以上か否かを判断するために、抵抗Ｒ１，Ｒ２と、ＮＰＮトランジスタＱ１と、ツェナーダイオードＺＤ１とを含む電圧比較回路により構成される。
【００４２】
詳細には、電流設定ユニット９０により出力端子５２に印加された設定電圧が、「ＮＰＮトランジスタＱ１のベースエミッタ間電圧＋ツェナーダイオードのツェナー電圧」以上である場合には、抵抗Ｒ１により制限された電流がＮＰＮトランジスタＱ１のベースに流れるため、ＮＰＮトランジスタＱ１はＯＮ状態となる。これにより、ＮＰＮトランジスタＱ１の電流増幅作用により増幅された電流が、ＮＰＮトランジスタＱ１のコレクタから引き込まれ、抵抗Ｒ２の電圧降下を引き起こすため、制御回路４０（ＩＣ４１のＩＮ端子）に対してＬоｗ信号が出力される。
【００４３】
一方、電流設定ユニット９０により出力端子５２に印加された設定電圧が、「ＮＰＮトランジスタＱ１のベースエミッタ間電圧＋ツェナーダイオードのツェナー電圧」未満である場合には、抵抗Ｒ１を介して電流は流れ込まないためＮＰＮトランジスタＱ１はＯＦＦ状態となる。これにより、抵抗Ｒ２によりＮＰＮトランジスタＱ１のコレクタは、定電圧回路２０の出力電圧まで上昇して、制御回路４０に対してＨｉｇｈ信号を出力する。
【００４４】
制御回路４０は、変換回路３０Ａにより出力されたＨｉｇｈ信号およびＬｏｗ信号を受け取り、これらの信号の内容に応じて内部メモリに記憶されている出力電流の設定値を書き換える。
【００４５】
（変形例１）
図６は、実施の形態１の変形例１に従う光源駆動装置１００Ｂを示すブロック図である。光源駆動装置１００Ｂは、光源駆動装置１００Ａの変換回路３０Ａを、変換回路３０Ｂに置き換えた構成である。そのため、光源駆動装置１００Ｂにおける変換回路３０Ｂ以外の構成についてはその詳細な説明は繰り返さない。
【００４６】
変換回路３０Ｂは、抵抗Ｒ３，Ｒ４と、ツェナーダイオードＺＤ２とを含む抵抗分圧回路である。この場合、ＩＣ４１のＩＮ端子には、出力端子５２の電圧を、抵抗Ｒ３および抵抗Ｒ４により分圧した電圧が入力される。この場合、制御回路４０は、内部に設けられたＡＤ（Analog-to-digital）変換器により入力された電圧をディジタル信号に変換し、当該ディジタル信号の内容に応じて内部メモリに記憶されている出力電流の設定値を書き換える。
【００４７】
一般的に、出力端子５２の±間には出力電圧を検出するための分圧抵抗が設けられているため、抵抗素子を新たに追加することなく変換回路３０Ｂを構成することができる。なお、通常動作時において、変換回路３０Ｂから制御回路４０（具体的には、ＩＮ端子）に入力される電圧が制御回路４０の入力電圧範囲を超えないように、保護素子としてツェナーダイオードＺＤ２が抵抗Ｒ４に並列接続されている。
【００４８】
（変形例２）
図７は、実施の形態１の変形例２に従う光源駆動装置１００Ｃを示すブロック図である。光源駆動装置１００Ｃは、光源駆動装置１００Ａの変換回路３０Ａを、変換回路３０Ｃに置き換えた構成である。そのため、光源駆動装置１００Ｃにおける変換回路３０Ｃ以外の構成についてはその詳細な説明は繰り返さない。
【００４９】
変換回路３０Ｃは、抵抗Ｒ５，Ｒ６，Ｒ７，Ｒ８と、ツェナーダイオードＺＤ３と、コンパレータ３１とを含む電圧比較回路である。図７の例では、出力端子５２の電圧を、抵抗Ｒ７および抵抗Ｒ８で分圧した電圧がコンパレータ３１の非反転入力端子に入力される。また、ＩＣ２１の出力電圧を、抵抗Ｒ５および抵抗Ｒ６で分圧した電圧がコンパレータ３１の反転入力端子に入力される。反転入力端子に入力される電圧は、コンパレータ３１の閾値電圧となる。出力端子５２の電圧を抵抗Ｒ７と抵抗Ｒ８で分圧した電圧がコンパレータ３１の入力電圧範囲を超えないように、保護素子としてツェナーダイオードＺＤ３が抵抗Ｒ８に並列接続されている。
【００５０】
ここで、電流設定ユニット９０から出力端子５２に入力される２つの電圧値を、それぞれ電圧値Ｖ１および電圧値Ｖ２とする。この場合、非反転入力端子には、電圧値Ｖ１を抵抗Ｒ７およびＲ８で分圧した電圧値Ｖ１ｐ（＝Ｖ１×Ｒ８／（Ｒ７＋Ｒ８））、あるいは電圧値Ｖ２を抵抗Ｒ７およびＲ８で分圧した電圧値Ｖ２ｐ（＝Ｖ２×Ｒ８／（Ｒ７＋Ｒ８））が入力される。
【００５１】
そのため、反転入力端子に入力される電圧（すなわち、閾値電圧）を、電圧値Ｖ１ｐと電圧値Ｖ２ｐとの間に設定する。これにより、例えば、コンパレータ３１は、電圧値Ｖ１ｐの入力を受けた場合には、データ”１”に対応する電圧をＩＣ４１に出力し、電圧値Ｖ２ｐの入力を受けた場合には、データ”０”に対応する電圧をＩＣ４１に出力する。
【００５２】
変換回路３０Ｃでは、三端子レギュレータＩＣの出力電圧のように温度特性が良好な電圧を、コンパレータ３１の閾値電圧として利用することができる。これにより、出力端子５２の電圧から制御回路４０用の信号への変換精度が向上する。
【００５３】
＜利点＞
実施の形態１によると、光源駆動装置に設けられた光源接続用の端子に電流設定ユニットを接続可能に構成されており、当該電流設定ユニットにより定電流駆動回路の出力電流を設定することができる。そのため、電流設定ユニット専用の接続端子を設ける必要がない。また、光源駆動装置の入力端子および出力端子のみが外部に露出することになるため、光源駆動装置の防水対策が容易となる。また、電流設定ユニットを光源駆動装置内に設ける必要もない。
【００５４】
また、出力電流の設定後に、出力電流の測定および再設定を繰り返し行なうことで、出力電流の微調整も可能となる。さらに、光源駆動装置を適用した照明装置が天井等に設置された後であっても、光源用の接続端子に電流設定ユニットを接続するだけで、照明装置の明るさを変更することができるため、当該変更の作業が容易となる。
【００５５】
［実施の形態２］
実施の形態１に従う光源駆動装置１００においては、通常動作時に出力端子５２に接続される光源８０の負荷電圧が高い場合には、定電圧回路２０に高電圧が印加されて定電圧回路２０が損傷する可能性がある。そこで、実施の形態２では、光源８０の負荷電圧が高い場合であっても、定電圧回路２０が損傷しないように定電圧回路２０を高電圧から保護するための保護回路を光源駆動装置に追加した構成について説明する。
【００５６】
実施の形態２に従う光源駆動装置は、定電圧回路２０の保護回路を有している点で、実施の形態１に従う光源駆動装置１００と異なる。＜電流設定システムの概要＞および＜電流設定ユニット＞の構成については実施の形態１と同様であるため、その詳細な説明は繰り返さない。
【００５７】
図８は、実施の形態２に従う光源駆動装置２００Ａのブロック図である。図８を参照して、光源駆動装置２００Ａは、定電流駆動回路１０と、定電圧回路２０と、変換回路３０Ａと、制御回路４０と、入力端子５１と、出力端子５２と、保護回路６０Ａとを含む。すなわち、光源駆動装置２００Ａは、図５に示した光源駆動装置１００Ａに保護回路６０Ａを追加した構成である。そのため、光源駆動装置２００Ａにおける、保護回路６０Ａ以外の構成についてはその詳細な説明は繰り返さない。
【００５８】
保護回路６０Ａは、出力端子５２と定電圧回路２０との間に設けられている。保護回路６０Ａは、定電圧回路２０が損傷されない程度に出力端子５２の電圧を低減して、当該低減した電圧を定電圧回路２０に出力する。
【００５９】
具体的には、保護回路６０Ａは、抵抗Ｒ１０，Ｒ１１と、ＮＰＮトランジスタＱ１０と、ツェナーダイオードＺＤ１０とを含む。抵抗Ｒ１０およびツェナーダイオードＺＤ１０は、出力端子５２の電圧から一定電圧を作る。ＮＰＮトランジスタＱ１０および抵抗Ｒ１１は、電流駆動能力を上げている。保護回路６０Ａによると、高電圧がＮＰＮトランジスタＱ１０に印加された場合であっても、ツェナーダイオードＺＤ１０のツェナー電圧よりもＮＰＮトランジスタＱ１０のベースエミッタ間電圧だけ低い所定電圧（一定電圧）が定電圧回路２０に供給される。すなわち、保護回路６０Ａは、出力端子５２の電圧を所定電圧まで低下させ、当該所定電圧を定電圧回路２０に出力する。これにより、定電圧回路２０を保護することができる。
【００６０】
また、出力電流の設定時において、電流設定ユニット９０から出力端子５２に入力される電圧が高いほど、制御回路４０に入力される信号の変換精度が向上する。保護回路６０Ａを設けることにより、電流設定ユニット９０から高電圧を出力端子５２に入力しても定電圧回路２０が損傷することがないため、信号の変換精度を向上させることができる。
【００６１】
（変形例１）
光源駆動装置の通常動作時において、出力端子５２に接続される光源８０の負荷電圧が高い場合に、定電圧回路２０、変換回路３０Ａ、制御回路４０のバイアス電流を、定電流駆動回路１０から保護回路６０Ａを介して流すと損失が大きい。そこで、実施の形態２の変形例１では、定電流駆動回路内に補助電源回路を設けて、通常動作時にはバイアス電流を、定電流駆動回路から保護回路を介して流さないように構成される。
【００６２】
図９は、実施の形態２の変形例１に従う光源駆動装置２００Ｂのブロック図である。図９を参照して、光源駆動装置２００Ｂは、光源駆動装置２００Ａの定電流駆動回路１０を定電流駆動回路１０Ｂに置き換え、光源駆動装置２００Ａの保護回路６０Ａを保護回路６０Ｂに置き換えた構成である。そのため、光源駆動装置２００Ｂにおける定電流駆動回路１０Ｂおよび保護回路６０Ｂ以外の構成についてはその詳細な説明は繰り返さない。
【００６３】
補助電源回路１２は、例えば、ＤＣ−ＤＣスイッチング制御回路により構成され、出力電圧値は１５Ｖ程度である。通常動作時には、入力端子５１を介して定電流駆動回路１０Ｂに電圧源８４が接続されるため補助電源回路１２が動作し、補助電源回路１２の出力電圧が定電圧回路２０の入力端子に入力される。
【００６４】
保護回路６０Ｂは、抵抗Ｒ１０，Ｒ１１と、ＮＰＮトランジスタＱ１０と、ツェナーダイオードＺＤ１０と、ダイオードＤ１０とを含む。抵抗Ｒ１０およびツェナーダイオードＺＤ１０は、出力端子５２の電圧から一定電圧を作る。ＮＰＮトランジスタＱ１０および抵抗Ｒ１１は、電流駆動能力を上げている。また、出力電流の設定時においては、ダイオードＤ１０を通して出力端子５２からバイアス電流を定電圧回路２０、変換回路３０Ａ、制御回路４０へ流すように構成される。
【００６５】
また、ＮＰＮトランジスタＱ１０のエミッタ電圧は、補助電源回路１２の出力電圧よりもダイオードＤ１０の順方向電圧分以上低く設定される。これにより、通常動作時においては、補助電源回路１２の出力電圧によりダイオードＤ１０は逆バイアス状態となる。そのため、ダイオードＤ１０を通じて、定電圧回路２０、変換回路３０Ａ、制御回路４０へバイアス電流は流れないことから、電力損失を低減することができる。
【００６６】
このように、光源駆動装置２００Ｂでは、通常動作時に電圧源８４が入力端子５１に接続されている場合には、補助電源回路１２が、電圧Ｖｘ１を定電圧回路２０に出力する。また、出力電流の設定時において、電圧源８４が入力端子５１に接続されておらず電流設定ユニット９０が出力端子５２に接続されている場合には、保護回路６０Ｂが電圧Ｖｘ２を定電圧回路２０に出力する。補助電源回路１２から定電圧回路２０に出力される電圧Ｖｘ１と、保護回路６０Ｂから定電圧回路２０に出力される電圧Ｖｘ２とは、ＩＣ２１の入力電圧範囲以内であればよく、同一であっても異なっていてもよい。
【００６７】
（変形例２）
実施の形態２の変形例１では、定電流駆動回路内に補助電源回路を設けることにより、通常動作時にはバイアス電流を、定電流駆動回路から保護回路を介して流さないようにする構成について説明した。実施の形態２の変形例２では、通常動作時に、定電流駆動回路から保護回路を介してバイアス電流を流さないようにするため、保護回路をスイッチン制御方式の電圧変換回路で構成する例について説明する。
【００６８】
図１０は、実施の形態２の変形例２に従う光源駆動装置２００Ｃのブロック図である。図１０を参照して、光源駆動装置２００Ｃは、光源駆動装置２００Ａの保護回路６０Ａを保護回路６０Ｃに置き換えた構成である。そのため、光源駆動装置２００Ｃにおける保護回路６０Ｃ以外の構成についてはその詳細な説明は繰り返さない。
【００６９】
保護回路６０Ｃは、スイッチング素子Ｑ１１と、コンデンサＣ１０と、インダクタＬ１０と、環流ダイオードＤ１１と、ダイオードＤ１２と、ＩＣ６１とを含む降圧チョッパ回路である。スイッチング素子Ｑ１１は、Ｎチャネル型のＭＯＳＦＥＴ（metal-oxide-semiconductor  field-effect  transistor）である。ＩＣ６１は、スイッチング素子Ｑ１１のオンオフを制御するためのＩＣである。ダイオードＤ１２は、ＩＣ６１に電流を供給するためのダイオードである。
【００７０】
保護回路６０Ｃは、出力端子５２の電圧を所定電圧に変換して、定電圧回路２０に所定電圧を出力する。また、スイッチング制御方式の電圧変換回路で構成される保護回路６０Ｃによると、光源駆動装置２００Ｃの通常動作時において、バイアス電流は定電流駆動回路１０から流れるバイアス電流が低減されるため、バイアス電流による電力損失を低減することができる。バイアス電流による電力損失が減る理由は、リニア方式とスイッチング方式の違いのためである。
【００７１】
具体的には、定電流駆動回路１０の出力からバイアス電流が全て流れる場合の損失をＷＬｏｓｓ１、定電流駆動回路１０の出力電圧をＶоｕｔ、バイアス電流をＩｂｉａｓとすると、以下の式（１）が成立する。
【００７２】
Ｗｌｏｓｓ１＝Ｖｏｕｔ×Ｉｂａｉｓ・・・（１）
また、スイッチング制御方式の電圧変換回路の出力からバイアス電流が流れる場合の損失をＷｌｏｓｓ２、スイッチング制御方式の電圧変換回路の出力電圧をＶａｕｘ、バイアス電流をＩｂｉａｓ、スイッチング制御方式の電圧変換回路の電力変換効率をηとすると、以下の式（２）が成立する。
【００７３】
Ｗｌｏｓｓ２＝Ｖａｕｘ×Ｉｂａｉｓ×η・・・（２）
そのため、Ｖｏｕｔ＞Ｖａｕｘ×ηが成立する場合には、バイアス電流による電力損失はスイッチング制御方式の電圧変換回路を使用したほうが小さくなる。ηは通常７０％以上が見込める。
【００７４】
（変形例３）
実施の形態２の変形例３は、上記の変形例２に従う保護回路６０Ｃを定電流駆動回路内に設ける構成について説明する。
【００７５】
図１１は、実施の形態２の変形例３に従う光源駆動装置２００Ｄのブロック図である。図１１を参照して、光源駆動装置２００Ｄは、光源駆動装置２００Ａの定電流駆動回路１０を定電流駆動回路１０Ｄに置き換えた構成である。そのため、光源駆動装置２００Ｄにおける定電流駆動回路１０Ｄ以外の構成についてはその詳細な説明は繰り返さない。
【００７６】
定電流駆動回路１０Ｄは、検出回路１１と、出力電流（定電流）を制御するためのスイッチング制御回路１３と、保護回路６０Ｃとを含む。
【００７７】
スイッチング制御回路１３は、スイッチング素子Ｑ２０と、ボディダイオードＤ２１と、コンデンサＣ２０と、インダクタＬ２０と、環流ダイオードＤ２０と、ＩＣ１５とを含む降圧チョッパ回路である。スイッチング素子Ｑ２０は、Ｎチャネル型のＭＯＳＦＥＴである。
【００７８】
このように、定電流を制御する回路として、スイッチング制御回路１３のようなスイッチング制御方式の降圧回路を用いる場合には、保護回路６０Ｃを定電流駆動回路１０Ｄ内に設けることができる。
【００７９】
出力電流の設定時には、スイッチング制御回路１３のスイッチング素子Ｑ２０のボディダイオードＤ２１を通じて、出力端子５２から保護回路６０Ｃに電圧を供給することができる。保護回路６０Ｃは、出力端子５２の電圧を所定電圧まで低減し、当該所定電圧を定電圧回路２０のＩＮ端子に入力して、定電圧回路２０を保護する。
【００８０】
また、保護回路６０Ｃは、補助電源回路としても機能する。具体的には、光源駆動装置２００Ｄの通常動作時において、光源８０の負荷電圧が高い場合であっても、電力損失を抑えながら定電圧回路２０、変換回路３０Ａ、制御回路４０へバイアス電流を供給することができる。保護回路６０Ｃを補助電源回路と兼用することにより、素子数の増加を抑えることもできる。
【００８１】
＜利点＞
実施の形態２によると、実施の形態１の利点に加えて、定電圧回路を適切に保護することが可能となる。
【００８２】
［実施の形態３］
実施の形態３では、実施の形態１または２に従う光源駆動装置と、光源８０とを含む照明装置の構成について説明する。
【００８３】
図１２は、実施の形態３に従う照明装置３００の構成の一例を示すブロック図である。図１２を参照して、照明装置３００は、図９に示した光源駆動装置２００Ｂと、光源８０とを含む。光源駆動装置２００Ｂは、出力端子５２を介して光源８０に接続されている。ここでは、光源駆動装置２００Ｂを、「光源駆動装置」の代表例として説明するが、これに限られない。「光源駆動装置」は、上述した光源駆動装置１００Ａ〜１００Ｃ、２００Ａ，２００Ｃ，２００Ｄのいずれであってもよい。
【００８４】
照明装置３００が光源８０を分離できるタイプの照明装置である場合には、光源８０を出力端子５２から外すことにより、出力端子５２が外部に露出する。そのため、出力端子５２に電流設定ユニット９０を接続することにより、定電流駆動回路１０の出力電流の設定を行なうことができる。
【００８５】
また、照明装置３００が光源８０を分離できないタイプの照明装置である場合であっても、照明装置３００の筐体の一部を取り外すことで出力端子５２に外部から接続可能に構成しておけばよい。これにより、同様に、出力端子５２に電流設定ユニット９０を接続して、定電流駆動回路１０の出力電流の設定を行なうことができる。
【００８６】
（変形例）
図１３は、実施の形態３の変形例に従う照明装置４００の構成の一例を示すブロック図である。図１３を参照して、照明装置４００は、図９に示した光源駆動装置２００Ｂと、光源８０とを含む。光源駆動装置２００Ｂは、出力端子５２を介して光源８０に接続されている。照明装置４００では、出力端子５２が外部に露出している点で、図１２に示す照明装置３００と異なる。
【００８７】
照明装置４００の出力端子５２は、照明装置４００の筐体の外殻と適切な絶縁距離を保ちながら外部に露出している。または、照明装置４００に、出力端子５２に並列に接続される他の出力端子をさらに設けて、当該他の出力端子が照明装置４００の筐体の外殻と適切な絶縁距離を保ちながら外部に露出していてもよい。この場合、出力端子５２または他の出力端子は、埃などの付着を防ぐためにカバー等で覆われていてもよい。これにより、出力端子５２あるいは他の出力端子に電流設定ユニット９０を接続して、定電流駆動回路１０の出力電流の設定を行なうことができる。
【００８８】
＜利点＞
実施の形態３によると、光源駆動装置を照明装置に組み込んだ場合であっても、光源駆動装置の出力端子へ外部からアクセスすることができるため、電流設定ユニットにより出力電流の設定が可能となる。また、照明装置が天井等に設置された後であっても、照明装置の分解あるいは工事等の作業をすることなく、容易に出力電流の変更が可能となる。
【００８９】
［実施の形態４］
実施の形態１では、図３において、光源駆動装置１００から光源８０を分離可能な場合の電流設定方法について説明した。実施の形態４では、光源駆動装置および光源８０が一体で構成されており、光源駆動装置から光源８０を分離できない場合の電流設定方法について説明する。
【００９０】
図１４は、実施の形態４に従う電流設定システムの概要を説明するための概念図である。具体的には、図１４（ａ）は、光源駆動装置１００の出力電流を設定する場合の各装置の接続形態を示す図である。図１４（ｂ）は、設定された出力電流により光源８０から照射される光の照度を確認する場合の各装置の接続形態を示す図である。
【００９１】
図１４を参照して、電流設定システムは、照明装置５００と、電流設定ユニット９０と、照度計８６とを含む。照明装置５００は、光源駆動装置１００と、光源８０と、光源駆動装置１００の出力端子５２に並列接続された出力端子５４とを含む。出力端子５４は、照明装置５００の外部に露出している。照明装置５００は、光源駆動装置１００と光源８０とが一体で構成されており、光源駆動装置１００から光源８０を分離できないタイプの照明装置である。ここでは、光源駆動装置１００を、「光源駆動装置」の代表例として説明するが、これに限られない。「光源駆動装置」は、上述した光源駆動装置２００Ａ〜２００Ｄのいずれであってもよい。
【００９２】
図１５は、実施の形態４に従う電流設定方法の一例を説明するためのフローチャートである。図１５を参照して、電流設定方法では、図１４（ａ）に示すように、照明装置５００の出力端子５４に電流設定ユニット９０が接続される（ステップＳ５０）。電流設定ユニット９０は、光源駆動装置１００の出力電流を所望値に設定するための設定電圧を出力端子５４を介して入力する（ステップＳ５２）。
【００９３】
ステップＳ５４，Ｓ５６の処理は、それぞれ図３中のステップＳ１４，Ｓ１６の処理と同様であるため、その詳細な説明は繰り返さない。続いて、図１４（ｂ）に示すように、出力端子５４から電流設定ユニット９０が外され、電圧源８４が入力端子５１に並列接続され、照度計８６が照明装置５００の周囲に設置される（ステップＳ５８）。ステップＳ６０〜Ｓ６４の処理は、それぞれ図３中のステップＳ２０〜Ｓ２４の処理と同様であるため、その詳細な説明は繰り返さない。
【００９４】
照度計８６は、照明装置５００（光源８０）の照度を測定する（ステップＳ６６）。続いて、測定された照度が目標範囲内（すなわち、目標値の公差内）か否かを判定する（ステップＳ６８）。具体的には、ユーザが当該判定を行なってもよいし、照度計８６の測定値の入力を受け付けた端末装置（図示しない）により、当該判定が行なわれてもよい。
【００９５】
照度の測定値が目標範囲内である場合には（ステップＳ６８においてＹＥＳ）、電圧源８４が照明装置５００から外され（ステップＳ７０）、処理は終了する。照度が目標範囲内ではない場合には（ステップＳ６８においてＮＯ）、照度の測定値と目標値とのずれを補正するように電流設定ユニット９０の設定電圧の値を調整して（ステップＳ７２）、ステップＳ５０に戻る。このとき、電圧源８４は、照明装置５００から外される。
【００９６】
＜利点＞
実施の形態４によると、光源駆動装置および光源を一体で構成した照明装置であっても、照度計を用いることにより、光源駆動装置の出力電流、すなわち照明装置の明るさの微調整を行なうことができる。
【００９７】
［その他の実施の形態］
（１）上述した実施の形態では、図１１に示すように、定電流駆動回路が、電圧変換回路として、定電流出力制御のためのスイッチング制御回路を有する構成について説明したが、当該構成に限られない。例えば、図１６に示すように、定電流駆動回路が出力端子（光源）と直列に接続され、電圧変換回路が当該定電流駆動回路とは別に設けられる構成であってもよい。
【００９８】
図１６は、その他の実施の形態に従う光源駆動装置１００Ｄを示すブロック図である。具体的には、図１６（ａ）は、光源駆動装置１００Ｄの全体を示すブロック図である。図１６（ｂ）は、定電流駆動回路１０Ｅの一例を示すブロック図である。
【００９９】
図１６（ａ）を参照して、光源駆動装置１００Ｄは、定電流駆動回路１０Ｅと、定電圧回路２０と、変換回路３０と、制御回路４０と、電圧変換回路７０とを含む。なお、光源駆動装置１００Ｄにおける定電流駆動回路１０Ｅおよび電圧変換回路７０以外の構成についてはその詳細な説明は繰り返さない。
【０１００】
電圧変換回路７０は、例えば、スイッチング制御方式の電圧変換回路であり、出力端子５２のマイナス端子がなるべく小さい一定電圧になるように出力電圧を制御する。これは、ＧＮＤおよび出力端子５２のマイナス端子間の電圧と、出力電流との積が損失になるため、定電流駆動回路１０Ｅが動作する最低電圧に少しマージンを持たせて制御するのが損失を最小にできるためである。
【０１０１】
図１６（ｂ）を参照して、定電流駆動回路１０Ｅは、出力端子５２（マイナス端子側）に直列接続されており、出力端子５２に接続された光源８０に流れる電流を定電流制御する。具体的には、定電流駆動回路１０Ｅは、定電流素子Ｑ２５と、ダイオードＤ２５と、抵抗Ｒ１５と、オペアンプ３５とを含む。
【０１０２】
定電流素子Ｑ２５は、Ｎチャネル型のＭＯＳＦＥＴあるいはバイポーラドランジスタである。オペアンプ３５のプラス端子には、制御回路４０からの参照電圧（設定信号）が入力される。また、抵抗Ｒ１５の両端電圧がオペアンプ３５のプラス端子電圧と同じになるように負帰還がかかる。また、オペアンプ３５の出力端子は、定電流素子Ｑ２５のゲートに接続されている。これにより、オペアンプ３５は、設定信号に応じた一定電流が抵抗Ｒ１５（すなわち、出力端子５２に接続される光源８０）に流れるように制御する。すなわち、定電流駆動回路１０Ｅは、通常動作時において、設定信号に従う電流値が出力端子５２に接続された光源８０に流れるように定電流制御を実行できる。
【０１０３】
ダイオードＤ２５は、出力端子５２に接続された電流設定ユニット９０から出力された電流が戻ってくることができるように定電流素子Ｑ２５をバイパスする。なお、定電流素子Ｑ２５が、Ｎチャネル型のＭＯＳＦＥＴである場合には、寄生素子としてボディダイオードが内蔵されている。そのため、この場合には、定電流駆動回路１０Ｅは、ダイオードＤ２５を含まない構成であってもよい。
【０１０４】
なお、上述した実施の形態３，４で説明した照明装置の光源駆動装置として、光源駆動装置１００Ｄを採用してもよいし、実施の形態２で説明した保護回路を光源駆動装置１００Ｄに追加した光源駆動装置としてもよい。
【０１０５】
（２）上述した実施の形態では、光源駆動装置が定電圧回路を含む構成となっているが、当該構成に限られない。例えば、制御回路の電源電圧が任意の電圧に対応可能に構成されている場合には、定電圧回路を設けなくてもよい。
【０１０６】
（３）上述した実施の形態では、補助電源回路および検出回路を定電流駆動回路内に設ける構成について説明したが、当該構成に限られない。例えば、補助電源回路および検出回路の各々は、定電流駆動回路とは独立して設けられる構成であってもよい。
【０１０７】
（４）上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１０８】
さらに、上述した実施の形態において、他の実施の形態で説明した処理や構成を適宜採用して実施する場合であってもよい。
【０１０９】
今回開示された実施の形態はすべての点で例示であって制限的なものではないと考えられるべきである。本発明の範囲は、上記した説明ではなく、請求の範囲によって示され、請求の範囲と均等の意味および範囲内でのすべての変更が含まれることが意図される。
【符号の説明】
【０１１０】
１０  定電流駆動回路、１１  検出回路、１２  補助電源回路、１３  スイッチング制御回路、２０  定電圧回路、３０  変換回路、３１  コンパレータ、３５  オペアンプ、４０  制御回路、５１  入力端子、５２，５４  出力端子、６０Ａ，６０Ｂ，６０Ｃ，６０Ｄ  保護回路、８０  光源、８２  電流計、８４  電圧源、８６  照度計、９０  電流設定ユニット、９２  内部電圧源、１００，２００Ａ〜２００Ｄ  光源駆動装置、３００，４００，５００  照明装置、Ｃ１０，Ｃ２０  コンデンサ、Ｄ１０，Ｄ１２  ダイオード、Ｄ１１，Ｄ２０  環流ダイオード、Ｄ２１  ボディダイオード、Ｌ１０，Ｌ２０  インダクタ。
【図１】
2019106855.tif 000003
【図２】
2019106855.tif 000004
【図３】
2019106855.tif 000005
【図４】
2019106855.tif 000006
【図５】
2019106855.tif 000007
【図６】
2019106855.tif 000008
【図７】
2019106855.tif 000009
【図８】
2019106855.tif 000010
【図９】
2019106855.tif 000011
【図１０】
2019106855.tif 000012
【図１１】
2019106855.tif 000013
【図１２】
2019106855.tif 000014
【図１３】
2019106855.tif 000015
【図１４】
2019106855.tif 000016
【図１５】
2019106855.tif 000017
【図１６】
2019106855.tif 000018
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
光源を接続可能であって、かつ、前記光源に流れる電流を設定するための設定ユニットを接続可能な第１の端子と、
前記光源に流れる電流が定電流になるように制御する定電流駆動回路と、
前記第１の端子に接続された前記設定ユニットから供給される電圧を変換し、当該変換された電圧信号を出力する変換回路と、
前記変換された電圧信号に基づいて前記定電流の電流値を設定し、当該設定した電流値を示す設定信号を前記定電流駆動回路に出力する制御回路と、
前記制御回路に一定電圧を供給する定電圧回路と、を備え、
前記設定ユニットが前記第１の端子に接続されている場合には、前記定電圧回路は、前記設定ユニットから供給される電圧を前記一定電圧に変換する、光源駆動装置。
【請求項２】
前記第１の端子と前記定電圧回路との間に接続され、前記定電圧回路を保護するための保護回路をさらに備え、
前記保護回路は、前記第１の端子の電圧を所定電圧まで低下させ、前記所定電圧を前記定電圧回路に出力する、請求項１に記載の光源駆動装置。
【請求項３】
外部電源を接続可能な第２の端子と、
前記定電圧回路に所定電圧を出力する補助電源回路とをさらに備え、
前記外部電源が前記第２の端子に接続されている場合には、前記補助電源回路は、前記所定電圧を前記定電圧回路に出力するように構成され、
前記外部電源が前記第２の端子に接続されておらず、前記設定ユニットが前記第１の端子に接続されている場合には、前記保護回路は、前記所定電圧を前記定電圧回路に出力するように構成されている、請求項２に記載の光源駆動装置。
【請求項４】
前記変換回路は、前記設定ユニットから供給される電圧と参照電圧とを比較し、比較結果を示す二値の信号を前記電圧信号として前記制御回路に出力する、請求項１〜３のいずれか１項に記載の光源駆動装置。
【請求項５】
前記変換回路は、前記設定ユニットから供給される電圧を複数の抵抗により分圧し、当該分圧された電圧に対応する信号を前記電圧信号として前記制御回路に出力する、請求項１〜３のいずれか１項に記載の光源駆動装置。
【請求項６】
前記定電流駆動回路は、前記第１の端子に直列接続されており、前記設定信号に従って、前記第１の端子に接続された前記光源に流れる電流が定電流になるように制御する、請求項１〜５のいずれか１項に記載の光源駆動装置。
【請求項７】
請求項１〜６のいずれか１項に記載の光源駆動装置と、
前記光源とを備える、照明装置。
【請求項８】
前記第１の端子は、外部に露出している、請求項７に記載の照明装置。
【請求項９】
光源駆動装置から光源に供給される電流を設定するための電流設定方法であって、
前記光源駆動装置は、光源、および、前記光源に流れる電流を設定するための設定ユニットを接続可能な端子と、前記光源に流れる電流が定電流になるように制御する定電流駆動回路とを備え、
前記電流設定方法は、
前記端子に接続された前記設定ユニットから供給される電圧を変換し、当該変換された電圧信号を出力するステップと、
前記変換された電圧信号に基づいて、前記定電流の電流値を設定するステップと、
前記設定するステップにより設定された電流値を示す設定信号を前記定電流駆動回路に出力するステップとを含む、電流設定方法。
【国際調査報告】
2019106855.tif 000019
2019106855.tif 000020